(57)【要約】【課題】  歩行することにより体力の維持や増進を図ることができる階段状歩行路を提供する。【解決手段】  本発明は、複数の踏面Ｓ１〜Ｓ７を段差をもって連続して設けた階段状歩行路であって、上り段差となる部分Ｕ１，Ｕ２と下り段差となる部分Ｄ１との一方又は両方を複数として、当該複数の部分Ｕ１，Ｕ２で他の部分Ｄ１を挟んで配置したことを特徴とする。階段状歩行路を歩行することによって段差の上り下り運動が連続して行え、しかも、上り又は下りの段差部分を少なくとも３つ連続して含む構成であるため、この運動効果がより一層高められる。【選択図】  図１
2015014133.tif 000002
【特許請求の範囲】
【請求項１】
複数の踏面を段差をもって連続して設けた階段状歩行路であって、
上り段差となる部分と下り段差となる部分との一方又は両方を複数として、当該複数の部分で他の部分を挟んで配置したことを特徴とする階段状歩行路。
【請求項２】
複数の踏面を同じ高さの段差をもって連続して設けた階段状歩行路であって、
上り段差と下り段差の数が異なることを特徴とする階段状歩行路。
【請求項３】
請求項１又は２に記載の階段状歩行路において、
階段状歩行路は、複数の踏面が段差をもって連続して設けられた複数の構成器具を付け合せ連結して構成され、
前記構成器具は、連結される２つの構成器具間で、付け合わされる一対の踏面が１段分の段差をもった高さであり、且つ、これら構成器具を付け合せた状態で連結具が係合し合う位置に設けられていることを特徴とする階段状歩行路。
【発明の詳細な説明】
【技術分野】
【０００１】
本発明は、連続する複数の踏面を段差をもって設けた階段状歩行路に関し、特に、体力の維持や増進に利用して好適な技術に関する。
【背景技術】
【０００２】
屋外の歩行路としては、平坦な歩道、傾斜のある坂道、複数の踏面が段差をもって設けられた階段などがある。
また、屋内の歩行路としては、平坦な廊下、傾斜のあるスロープ、複数の踏面が段差をもって設けられた階段などがある。
【０００３】
特許文献１には、高齢者等の足の不自由な人にとっても利用し易くするため、通常階段の上或いは側部に通常階段の略半分の段差の補助段を設けた階段構造が提案されている。
また、特許文献２には、人が通行する箇所に存在する様々な段差に対して、階段を構成する踏み板の高さを任意に調整することができる無段階調整ユニットが提案されている。
【０００４】
また、特許文献３乃至５には、筋力トレーニングが難しい高齢者でも健康増進のために使用できる運動施設として、踏面の傾斜が変化するバランス訓練用歩行面が提案されている。
【先行技術文献】
【特許文献】
【０００５】
【特許文献１】特開２０００−２２６９１９号公報
【特許文献２】特開２０１１−４２９４０号公報
【特許文献３】特開２００７−１４３７５３号公報
【特許文献４】特開２００７−１４３７５８号公報
【特許文献５】特開２００７−１４３７７５号公報
【発明の概要】
【発明が解決しようとする課題】
【０００６】
高齢者や歩行が不自由な人等でも容易に歩行できるように、階段を無くして、歩行路をできるだけ平坦化する配慮がなされている。特に、平坦路の途中に階段段差があるような場合には、階段段差に躓いてしまうことが起きる。
他方、階段の段差を上り下りすることは、筋力トレーニングになる外、バランストレーニングにもなる。
【０００７】
すなわち、一般的に、高齢者や歩行が不自由な人等にとって、階段段差のある歩行路を歩くことは、筋力トレーニングやバランストレーニングといった体力の維持や増進に役立つ運動ができる利点があるといえる。
しかしながら、歩行路に単純に階段段差を設けただけでは、何段も続く階段を上ることに気後れするといったこともあり、階段段差のある歩行路を歩くことによる利点を得ることが難しかった。
【０００８】
また、筋肉に指令を出す神経伝達物質（ドーパミン）の減少によって発症するとされるパーキンソン病の患者は、体の動きが不自由になることから歩行が困難となるが、多くの症例で、足の上げ下げ運動は自由に行え、階段の上り下りは容易に行えることが知られている。
【０００９】
本発明は、上記従来の事情に鑑みなされたもので、歩行することにより体力の維持や増進を図ることができる階段状歩行路を提供することを目的としている。
【課題を解決するための手段】
【００１０】
本発明は、複数の踏面を段差をもって連続して設けた階段状歩行路であって、上り段差となる部分と下り段差となる部分との一方又は両方を複数として、当該複数の部分で他の部分を挟んで配置したことを特徴とする。
【００１１】
複数の踏面を段差をもって連続して設けて踏面以外に平坦な部分を含まない構成（すなわち、踊り場のない連続した階段の構成）であるため、階段状歩行路を歩行することによって段差の上り下り運動が連続して行える。しかも、上り又は下りの段差部分を少なくとも３つ連続して含む構成であるため、この運動効果がより一層高められる。
このため、階段状歩行路を歩行するだけで、筋力トレーニングやバランストレーニングが行なわれて体力の維持や増進を図ることができる。
【００１２】
ここで、通常、階段の段差は同じ高さにそろえるところ、例えば、上り段差となる部分と下り段差となる部分との段数を同じにして、部分としても同数となる上り段差となる部分と下り段差となる部分とを交互に配置すれば、上り下り運動しながら始点から終点へ同じ高さ位置に移動する階段状歩行路とすることができる。
また、同様にして、例えば、２つの上り段差となる部分が１つの下り段差となる部分を挟んで配置すれば、上り下り運動しながら始点から終点へ上る階段状歩行路とすることができる。
【００１３】
また、本発明は、複数の踏面を同じ高さの段差をもって連続して設けた階段状歩行路であって、上り段差と下り段差の数が異なることを特徴とする。
【００１４】
本発明も、上記の発明と同様に、階段状歩行路を歩行することによって段差の上り下り運動が連続して行え、筋力トレーニングやバランストレーニングが行なわれて体力の維持や増進を図ることができる。
また、本発明では、上りの段数を下りの段数より多くすれば、上り下り運動しながら始点から終点へ上る階段状歩行路とすることができ、また、この逆とすれば、上り下り運動しながら始点から終点へ下る階段状歩行路とすることができる。
【００１５】
また、本発明は、階段状歩行路は、複数の踏面が段差をもって連続して設けられた複数の構成器具を付け合せ連結して構成され、前記構成器具は、連結される２つの構成器具間で、付け合わされる一対の踏面が１段分の段差をもった高さであり、且つ、これら構成器具を付け合せた状態で連結具が係合し合う位置に設けられていることを特徴とする。
これにより、複数の構成器具を連結させることで簡単に階段状歩行路を構成することができる。そして、踏面の数や上り下りの設定を種々異ならせた複数の構成器具を用意しておくことにより、設置場所に合わせて、必要に応じた態様の階段状歩行路を構成することができる。
【００１６】
なお、上記本発明のいずれであっても、階段状歩行路は、屋内であると屋外であるとを問わず、ある場所からある場所へ人が移動するための通常の歩行路として利用してもよく、また、体力の維持や増進を図る運動設備として利用してもよい。
また、本発明の階段状歩行路は、健常者ばかりでなく高齢者や歩行が不自由な人等の運動設備として利用できるが、平坦路の歩行運動が困難なパーキンソン病の患者のために、階段の上り下り運動で体力の維持や増進を図る運動設備としても利用でき、また、目的地へ歩行移動できる喜びを与える歩行路としても利用できる。
【発明の効果】
【００１７】
本発明によれば、歩行することにより体力の維持や増進を図ることができる階段状歩行路を実現することができる。
【図面の簡単な説明】
【００１８】
【図１】本発明の一実施例に係る階段状歩行路を示す斜視図である。
【図２】本発明の一実施例に係る階段状歩行路を説明する側面図である。
【図３】本発明の他の一実施例に係る階段状歩行路を説明する側面図である。
【図４】本発明の更に他の一実施例に係る階段状歩行路を説明する側面図である。
【図５】本発明に係る階段状歩行路を構成する器具の一例を示す斜視図である。
【図６】図５中の連結手段を説明する拡大図である。
【発明を実施するための形態】
【００１９】
本発明の実施例を、図面を参照して説明する。
図１は本発明の一実施例に係る階段状歩行路を示す斜視図であり、図２は当該階段状歩行路を説明する側面図である。
本実施例の階段状歩行路は、図中の矢印Ａ方向に見て、２つの上り段差部分Ｕ１，Ｕ２と、１つの下り段差部分Ｄ１を含んで構成されており、上り段差部分Ｕ１，Ｕ２で下り段差部分Ｄ１を挟んで連続した配置となっている。
【００２０】
上り段差部分Ｕ１は段差をもって連続して設けた３つの踏面Ｓ１，Ｓ２，Ｓ３を有し、下り段差部分Ｄ１は段差をもって連続して設けた２つの踏面Ｓ４，Ｓ５を有し、上り段差部分Ｕ２は段差をもって連続して設けた２つの踏面Ｓ６，Ｓ７を有している。
ここで、本実施例では、これら踏面Ｓ１〜Ｓ７間の段差は、全て同じ高さに設定されている。なお、段差は全て同じ高さとするのが好ましいが、本発明では、必要に応じて段差間に高さの差を設定することもできる。
【００２１】
したがって、踏面Ｓ１〜Ｓ７はそれぞれ段差をもって連続して設けられており、歩行者が図中の矢印Ａ方向に各踏面を踏んで歩行すると、階段を上り下りする運動をすることができる。
そして、本実施例では、上り段差の総数と下り段差の総数とに差を設けているため、階段状歩行路を図中の矢印Ａ方向へ歩行する歩行者は上り下りしながら、これら段差の総数の差分に相当する高い位置へ緩やかに移動することができる。
なお、言及するまでもないことであるが、図中の矢印Ａと反対方向へ歩行すれば、歩行者は上り下りしながら、下りと上りとの段差の総数の差分に相当する低い位置へ緩やかに移動することができる。
【００２２】
また、本実施例では、図１に示すように階段状歩行路を壁際に設置し、壁面に段差の上り下りに沿った手摺り１を設けてある。これにより、手摺り１を支えとして階段状歩行路を歩行することができ、高齢者等にとって階段状歩行路を歩行する運動をより容易に行なうことができる。
【００２３】
また、階段状歩行路を構成する踏面の奥行き幅を歩行者の略１足分の幅に設定する態様は本発明の好ましい態様であるところ、本実施例では、段差をもって連続する各踏面Ｓ１〜Ｓ７を歩行者の略１足分の奥行き幅に設定してある。このため、階段状歩行路を歩行する歩行者は、踏面上で更に前へ歩みを進める必要なく、次の踏面へ歩みを進めることができ、連続した階段の上り下り運動を行なうことができる。
なお、本発明では、踏面の奥行き幅を必要に応じた幅に設定することができる。
【００２４】
なお、本実施例では、２つの上り段差部分で１つの下り段差部分を挟んだ配置としたが、本発明では、これら上り段差部分及び１つの下り段差部分を幾つ設けるかは階段状歩行路の設計に応じて任意であり、上り段差部分と下り段差部分との一方又は両方を複数として、当該複数の部分で他の部分を挟んで配置すればよい。
【００２５】
図３は本発明の他の一実施例に係る階段状歩行路を説明する側面図である。
上記の実施例では段差部分間で段差の数を異ならせたが、本実施例は上りの段差部分と下りの段差部分との段差の数を同じにしている。
【００２６】
本実施例の階段状歩行路は、図中の矢印Ａ方向に見て、２つの上り段差部分Ｕ１１，Ｕ１２と、２つの下り段差部分Ｄ１１，Ｄ１２を含んで構成されており、上り段差部分と下り段差部分とを交互に配置して連続させている。
すなわち、２つの上り段差部分Ｕ１１，Ｕ１２で下り段差部分Ｄ１１を挟んで配置し、また、２つの下り段差部分Ｄ１１，Ｄ１２で上り段差部分Ｕ１２を挟んで配置している。
【００２７】
上り段差部分Ｕ１１は段差をもって連続して設けた３つの踏面Ｓ１１，Ｓ１２，Ｓ１３を有し、下り段差部分Ｄ１１は段差をもって連続して設けた３つの踏面Ｓ１４，Ｓ１５，Ｓ１６を有し、上り段差部分Ｕ１２は段差をもって連続して設けた３つの踏面Ｓ１７，Ｓ１８，Ｓ１９を有し、下り段差部分Ｄ１２は段差をもって連続して設けた３つの踏面Ｓ２０，Ｓ２１，Ｓ２２を有している。
なお、これら踏面Ｓ１１〜Ｓ２２間の段差は、全て同じ高さに設定されている。
【００２８】
したがって、踏面Ｓ１１〜Ｓ２２はそれぞれ段差をもって連続して設けられており、歩行者が図中の矢印Ａ方向に各踏面を踏んで歩行すると、階段を上り下りする運動をすることができる。
そして、本実施例では、上り段差の総数と下り段差の総数、及び、上り段差部分と下り段差部分を同数に設けているため、階段状歩行路を図中の矢印Ａ方向へ歩行する歩行者は上り下りしながら、同じ高さの位置へ移動することができる。
【００２９】
図４は本発明の更に他の一実施例に係る階段状歩行路を説明する側面図である。
上記の実施例では、上り段差部分Ｕ２１と下り段差部分Ｄ２１とをそれぞれ１つずつ設け、上りの段差部分Ｕ２１と下りの段差部分Ｄ２１との段差の数を異ならせている。
【００３０】
本実施例の階段状歩行路は、図中の矢印Ａ方向に見て、上り段差部分Ｕ２１と下り段差部分Ｄ２１を連続させて配置している。
上り段差部分Ｕ２１は段差をもって連続して設けた３つの踏面Ｓ３１，Ｓ３２，Ｓ３３を有し、下り段差部分Ｄ２１は段差をもって連続して設けた２つの踏面Ｓ３４，Ｓ３５を有している。
なお、これら踏面Ｓ３１〜Ｓ３５間の段差は、全て同じ高さに設定されている。
【００３１】
したがって、踏面Ｓ３１〜Ｓ３５はそれぞれ段差をもって連続して設けられており、歩行者が図中の矢印Ａ方向に各踏面を踏んで歩行すると、階段を上り下りする運動をしながら、下りと上りとの段差の総数の差分に相当する高い位置へ緩やかに移動することができる。
【００３２】
図５は本発明に係る階段状歩行路を構成する器具の一例を示す斜視図である。
本発明に係る階段状歩行路は、例えば、図示のような構成器具Ｂ１，Ｂ２を用意しておき、これら構成器具Ｂ１，Ｂ２を接続することで、必要な場所に構成することができる。
【００３３】
図示の例では、構成器具Ｂ１は、上り段差をもって連続して設けた３つの踏面Ｓ４１，Ｓ４２，Ｓ４３と、下り段差をもって連続して設けた１つの踏面Ｓ４４を有しており、これら踏面Ｓ４１〜Ｓ４４はそれぞれ同じ高さの段差をもって連続して設けられている。
【００３４】
また、構成器具Ｂ２は、上り段差をもって連続して設けた３つの踏面Ｓ４５，Ｓ４６，Ｓ４７を有しており、踏面Ｓ４５とＳ４６との上り段差及びＳ４６とＳ４７との上り段差はそれぞれ上記と同じ高さの段差をもって設けられている。
また、踏面Ｓ４５は、踏面Ｓ４４に対して上記と同じ高さの下り段差をもった位置に設けられており、構成器具Ｂ１の踏面Ｓ４４側と構成器具Ｂ２の踏面Ｓ４５側とを付け合せると、踏面Ｓ４４と踏面Ｓ４５とが他と同じ高さの段差をもって連続する。
【００３５】
構成器具Ｂ１，Ｂ２には、図６に詳示するような、互いを連結する連結具２が設けられており、この連結具２によって、上記のように付け合せた構成器具Ｂ１と構成器具Ｂ２とを連結することができる。
図示の連結具２は、構成器具Ｂ１に設けられた係合片３と、構成器具Ｂ２に取付軸５によって回転自在に設けられた鉤片４とを備えており、構成器具Ｂ１と構成器具Ｂ２とを付け合せた状態で、鉤片４を係合片３に係合させることで、構成器具Ｂ１と構成器具Ｂ２とを連結することができる。
【００３６】
このように、上り段差や下り段差及び踏面の数を種々設定した構成器具を幾つか用意しておくことにより、必要な場所に、必要な長さで、必要な段差の並びの階段状歩行路を容易に設けることができる。
すなわち、構成器具は、連結される２つの構成器具間で、付け合わされる一対の踏面が１段分の段差をもった高さであり、且つ、これら構成器具を付け合せた状態で連結具が係合し合う位置に設けられている。
【００３７】
なお、本発明の階段状歩行路は、上記のように複数の構成器具を連結することで構成する他、種々な方法で構成することができる。
例えば、地面を掘ってコンクリートを打設することにより、地面より低い半地下に階段状歩行路を構築するようにしてもよい。
【産業上の利用可能性】
【００３８】
本発明は、体力の維持や増進に役立つ運動設備として利用する他、通常の歩行路としても利用することができる。
【符号の説明】
【００３９】
１・・・手摺り、
２・・・連結具、
Ｕ１，Ｕ２，Ｕ１１，Ｕ１２，Ｕ２１・・・下り段差部分、
Ｄ１，Ｄ１１，Ｄ１２，Ｄ２１・・・上り段差部分、
Ｓ１〜Ｓ７，Ｓ１１〜Ｓ２２，Ｓ３１〜Ｓ３５，Ｓ４１〜Ｓ４７・・・踏面、
Ｂ１，Ｂ２・・・構成器具、
【図１】
2015014133.tif 000003
【図２】
2015014133.tif 000004
【図３】
2015014133.tif 000005
【図４】
2015014133.tif 000006
【図５】
2015014133.tif 000007
【図６】
2015014133.tif 000008
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
複数の踏面を段差をもって連続して設けた階段状歩行路であって、
上り段差となる部分と下り段差となる部分との一方又は両方を複数として、当該複数の部分で他の部分を挟んで配置したことを特徴とする階段状歩行路。
【請求項２】
請求項１に記載の階段状歩行路において、
階段状歩行路は、複数の踏面が段差をもって連続して設けられた複数の構成器具を付け合せ連結して構成され、
前記構成器具は、連結される２つの構成器具間で、付け合わされる一対の踏面が１段分の段差をもった高さであり、且つ、これら構成器具を付け合せた状態で連結具が係合し合う位置に設けられていることを特徴とする階段状歩行路。